(57)【要約】【課題】  略矩形板状の電子表示部品を基板に対して固定する表示部品固定部材に関し、厚み等の大きさ寸法が異なる複数の電子表示部品に対応して共通に使用可能な表示部品固定部材を提供する。【解決手段】  表示部品固定部材は、略矩形板状の電子表示部品を基板に対して固定する表示部品固定部材であって、電子表示部品の前面側から保持力を加える保持部と、電子表示部品の背面側を載置する載置部と、載置部の背面側で基板に連結する連結部と、を備え、保持部が、載置部に連結して保持部を開閉動作可能にするヒンジ部と、ヒンジ部から延設されて載置部の側へ円弧の凸側が突出するように形成される把持部と、把持部から延設されて載置部又は基板の対応する被係合部に係合する係合部と、を有し、係合部が被係合部に係合する場合に、把持部が電子表示部品の前面側に当接して、電子表示部品を固定する。【選択図】  図１
2018160549.tif 000002
【特許請求の範囲】
【請求項１】
略矩形板状の電子表示部品を基板に対して固定する表示部品固定部材であって、
該電子表示部品の前面側から保持力を加える保持部と、該電子表示部品の背面側を載置する載置部と、該載置部の背面側で該基板に連結する連結部と、を備え、
該保持部が、該載置部に連結して該保持部を開閉動作可能にするヒンジ部と、該ヒンジ部から延設されて該載置部の側へ円弧の凸側が突出するように形成される把持部と、該把持部から延設されて該載置部又は該基板の対応する被係合部に係合する係合部と、を有し、該係合部が該被係合部に係合する場合に、該把持部が該電子表示部品の前面側に当接して、該電子表示部品を固定する、
表示部品固定部材。
【請求項２】
前記保持部の前記把持部が、厚みの異なる略矩形板状の前記電子表示部品に対応して、前記円弧の大きさを規定する半径を変えるように弾性変形可能に形成されている、
請求項１に記載の表示部品固定部材。
【請求項３】
前記保持部の前記係合部が、前記被係合部に係合する場合に略矩形板状の前記電子表示部品の対応する端面を支える端面支持部をさらに備える、
請求項１または２に記載の表示部品固定部材。
【請求項４】
前記保持部が、前記載置部の左右または上下の両端２カ所に少なくとも設けられている、
請求項１から３のいずれかに記載の表示部品固定部材。
【請求項５】
前記載置部が、少なくとも２つに分割可能に形成されている、
請求項４に記載の表示部品固定部材。
【発明の詳細な説明】
【技術分野】
【０００１】
本発明は、略矩形板状の電子表示部品を基板に対して固定する表示部品固定部材に関し、特に、厚み等の大きさ寸法が異なる複数の電子表示部品に対応して使用可能な表示部品固定部材に関する。
【背景技術】
【０００２】
電子機器において、蛍光表示部品（Vacuum fluorescent display 、ＶＦＤ。ＦＬ管とも言う。）、あるいは、液晶表示部品などの電子表示部品を基板に固定して取り付けるのに、表示部品固定部材を用いる場合がある。電子表示部品を半田付けする端子部分のみを利用して基板に固定しようとすると、安定した位置出しができないこと、さらに、固定強度が不足することから、表示部品固定部材が利用されている。
【０００３】
表示部品固定部材は、ホルダーと呼ばれる場合がある。表示部品固定部材は、多くの場合に樹脂材料で形成されており、金型を使ってその電子表示部品に対応する形状を形成している。表示部品固定部材は、電子表示部品を基板に固定して取り付けるが、回路部品を取り付ける筐体の構造体に取り付けられる場合もある。
【０００４】
例えば、従来には、偏平な板状載置体の一側面の端部に、ヒンジ部を介して、載置面上の電子表示部品を把持する把持部を揺動自在に設けると共に、該板状載置体の上記ヒンジ部とは対向する側面端部に、上記電子表示部品を把持した位置で上記把持部の自由端部を係止する係止機構を形成し、更に上記板状載置体の裏面には、当該板状載置体を基板上に固定する固定部を形成してなることを特徴とする電子表示部品固定具がある（特許文献１、第１図〜第１０図）。
【０００５】
電子機器の電子表示部品は、略矩形板状であっても様々な形状寸法を有するので、表示部品固定部材は、個別の電子表示部品に合わせてそれぞれに設計する必要がある。一方で、複数の電子表示部品において、一つの表示部品固定部材で共通に対応可能になれば、複数の表示部品固定部材を用意する必要がなくなる利点がある。つまり、表示部品固定部材を調達するコストを低減することができる。
【０００６】
しかしながら、実際に複数の電子表示部品に対応可能な表示部品固定部材を用意しようとしても、電子表示部品の略矩形板状の幅寸法、高さ寸法、厚み寸法が異なっていれば、共通して利用できるように設計するのは、実際には困難である。また、複数の電子表示部品に対応する表示部品固定部材では、安定した位置出しが難しくなり、さらに、固定強度が不足しやすくなる、という問題がある。
【先行技術文献】
【特許文献】
【０００７】
【特許文献１】実開昭６２−２１５８５号公報
【発明の概要】
【発明が解決しようとする課題】
【０００８】
本発明は、上記の従来技術が有する問題を解決するためになされたものであり、その目的は、略矩形板状の電子表示部品を基板に対して固定する表示部品固定部材に関し、幅、高さ、厚み等の大きさ寸法が異なる複数の電子表示部品に対応して共通に使用可能な表示部品固定部材を提供することにある。
【課題を解決するための手段】
【０００９】
本発明の表示部品固定部材は、略矩形板状の電子表示部品を基板に対して固定する表示部品固定部材であって、電子表示部品の前面側から保持力を加える保持部と、電子表示部品の背面側を載置する載置部と、載置部の背面側で基板に連結する連結部と、を備え、保持部が、載置部に連結して保持部を開閉動作可能にするヒンジ部と、ヒンジ部から延設されて載置部の側へ円弧が突出するように形成される把持部と、把持部から延設されて載置部又は基板の対応する被係合部に係合する係合部と、を有し、係合部が被係合部に係合する場合に、把持部が電子表示部品の前面側に当接して、電子表示部品を固定する。
【００１０】
好ましくは、本発明の表示部品固定部材は、保持部の把持部が、厚みの異なる略矩形板状の電子表示部品に対応して、円弧の大きさを規定する半径を変えるように弾性変形可能に形成されている。
【００１１】
また、好ましくは、本発明の表示部品固定部材は、保持部の係合部が、被係合部に係合する場合に略矩形板状の電子表示部品の対応する端面を支える端面支持部をさらに備える。
【００１２】
また、好ましくは、本発明の表示部品固定部材は、保持部が、載置部の左右または上下の両端２カ所に少なくとも設けられている。
【００１３】
また、好ましくは、本発明の表示部品固定部材は、載置部が、少なくとも２つに分割可能に形成されている。
【００１４】
以下、本発明の作用について説明する。
【００１５】
本発明の表示部品固定部材は、電子表示部品の前面側から保持力を加える保持部と、電子表示部品の背面側を載置する載置部と、載置部の背面側で基板に連結する連結部と、を備えて、略矩形板状の電子表示部品を基板に対して固定する。表示部品固定部材の保持部は、載置部に連結して保持部を開閉動作可能にするヒンジ部と、ヒンジ部から延設されて載置部の側へ円弧の凸側が突出するように形成される把持部と、把持部から延設されて載置部又は基板の対応する被係合部に係合する係合部と、を有する。したがって、係合部が被係合部に係合する場合に、把持部が電子表示部品の前面側に当接して、電子表示部品を固定することができる。
【００１６】
ここで、表示部品固定部材は、保持部の把持部が、厚みの異なる略矩形板状の電子表示部品に対応して、円弧の大きさを規定する半径を変えるように弾性変形可能に形成されている。つまり、大きさ寸法が異なる電子表示部品が載置部に載せられても、把持部がその円弧の大きさを規定する半径を弾性変形して変えるので、把持部が電子表示部品の前面側に当接して、電子表示部品を固定することができる。したがって、複数の電子表示部品を固定するのに、一つの表示部品固定部材で共通に対応可能になり、複数の表示部品固定部材を用意する必要がなくなる。
【００１７】
表示部品固定部材は、保持部の係合部が、被係合部に係合する場合に略矩形板状の電子表示部品の対応する端面を支える端面支持部をさらに備えているのが好ましい。電子表示部品を固定する保持部が、把持部だけでなく端面支持部で電子表示部品と接するので、高さ方向の寸法が異なる複数の電子表示部品に対応して、固定強度を増して安定した固定・位置出しができるようになる。
【００１８】
また、表示部品固定部材は、保持部が、載置部の左右または上下の両端２カ所に少なくとも設けられていればよい。電子表示部品を安定して基板に取り付けることができる。さらに、表示部品固定部材は、載置部が、少なくとも２つに分割可能に形成されていれば、厚み寸法だけで無く、幅方向の寸法、または、高さ方向の寸法の異なる複数の電子表示部品に対応できるようになる。
【発明の効果】
【００１９】
本発明の表示部品固定部材は、幅、高さ、厚み等の大きさ寸法が異なる複数の電子表示部品に対応して共通に使用可能にすることができる。
【図面の簡単な説明】
【００２０】
【図１】本発明の一実施形態に係る表示部品固定部材および電子表示部品の取付構造を示した説明図である。
【図２】本発明の一実施形態に係る表示部品固定部材および電子表示部品の取付構造を示した説明図である。
【図３】本発明の他の実施形態に係る表示部品固定部材および電子表示部品の取付構造を示した説明図である。
【図４】本発明の他の実施形態に係る表示部品固定部材および電子表示部品の取付構造を示した説明図である。
【図５】本発明の他の実施形態に係る表示部品固定部材および電子表示部品の取付構造を示した説明図である。
【発明を実施するための形態】
【００２１】
以下、本発明の好ましい実施形態による表示部品固定部材について説明するが、本発明はこれらの実施形態には限定されない。
【実施例１】
【００２２】
図１は、本発明の好ましい実施形態による表示部品固定部材１について説明する図である。表示部品固定部材１は、略矩形板状の電子表示部品３を基板２に対して固定する部材である。例えば、表示部品固定部材１は、（図示しない）ＡＶ機器を構成する筐体の前面側に配置されるような基板２に、蛍光表示部品である電子表示部品３を所定位置に取り付けて、機能させる部材である。
【００２３】
また、図２は、本発明の好ましい実施形態による表示部品固定部材１が略矩形板状の電子表示部品３ａまたは３ｂを基板２に対して固定することを説明する図である。図１および図２で図示する場合には、基板２から見て電子表示部品３、３ａまたは３ｂが取り付けられる側が、ＡＶ機器を構成する筐体の前面側になる。なお、図１および図２では、本発明の説明に不要な他の構成については図示を省略し、以下でも説明を省略する。
【００２４】
具体的には、図１（ａ）は基板２に取り付けられた表示部品固定部材１の斜視図であり、図１（ｂ）は図１（ａ）を側面視した側面図である。また、図１（ｃ）および図１（ｄ）は、表示部品固定部材１に電子表示部品３を取り付けた状態の斜視図であって、表示部品固定部材１の動作を説明する図である。また、図２（ａ）または図２（ｃ）は、表示部品固定部材１に他の外形寸法が異なる電子表示部品３ａまたは３ｂを取り付けた状態の斜視図である。さらに、図２（ｂ）または図２（ｄ）は、それぞれ図２（ａ）または図２（ｃ）を側面視した側面図である。
【００２５】
基板２および電子表示部品３、３ａまたは３ｂは、本実施例の場合に限られないが、基板２は、少なくとも電子表示部品３、３ａまたは３ｂを接続する回路パターンが形成されて、電子表示部品３、３ａまたは３ｂを所定の位置に取り付け可能に構成されている。基板２には、表示部品固定部材１と電子表示部品３、３ａまたは３ｂとが所定位置に取り付けられる場合に、後述するように、対応する位置に被係合部５としての孔が２カ所に設けられている。
【００２６】
蛍光表示部品である電子表示部品３、３ａまたは３ｂは、略矩形板状の筐体の前面側の中央部に表示窓を有し、表示窓の周囲に非表示部を有する。また、図示するように、電子表示部品３、３ａまたは３ｂは、略矩形板状の基体の一方側にその端子が多数並んでいるので、端子を基板２に半田付けして固定することができる。
【００２７】
したがって、図１または図２に図示する場合には、電子表示部品３、３ａまたは３ｂの上下方向の位置は、基板２に半田付けされる上側に並んだ複数の端子により規制される。ただし、その場合には、電子表示部品の略矩形板状の筐体の下側が規制されずに浮いてくる、または、沈むなどして全体が傾くなどの不具合が起きてしまい、所定の位置・角度に取り付けることが困難になる。そこで、表示部品固定部材１を用いて、電子表示部品３、３ａまたは３ｂを所定の位置に安定して位置出してから、取り付けるようにするのが好ましい。
【００２８】
本実施例の表示部品固定部材１は、金型を使ってナイロン樹脂で形成される部材である。なお、表示部品固定部材１は、他の樹脂材料で形成されていてもよい。表示部品固定部材１は、後述するように、異なる大きさの電子表示部品３、３ａまたは３ｂに対応することができる。本実施例の表示部品固定部材１は、電子表示部品３、３ａまたは３ｂのいずれかを基板２に固定して取り付けるが、（図示しない）筐体の構造体に取り付けられてもよい。
【００２９】
図１を参照して、略矩形板状の電子表示部品３を表示部品固定部材１を用いて基板２に対して固定する様子を説明する。表示部品固定部材１は、電子表示部品３の前面側から保持力を加える保持部１０と、電子表示部品３の背面側を載置する載置部１１と、載置部１１の背面側で基板２に連結する連結部１２と、を備える。載置部１１および連結部１２は、略直方体形状の表示部品固定部材１の基体の前面側の平面と、背面側の平面に対応する。載置部１１の上側の辺と左右の辺とには、電子表示部品３の端面の位置を規制する立ち上がり部１６が設けられている。さらに、載置部１１の左右の両端の２カ所に、保持部１０が設けられている。
【００３０】
表示部品固定部材１の保持部１０は、載置部１１および連結部１２を構成する基体から一体に延設されて形成されている部分である。保持部１０は、載置部１１に連結して保持部１０の全体を開閉動作可能にするヒンジ部１４と、ヒンジ部１４から延設されて載置部１１の側へ円弧の凸側が突出するように形成される把持部１３と、把持部１３から延設されて基板１２の対応する被係合部５に係合する係合部１５と、を有する。本実施例の保持部１０は、載置部１１の左右の両端の２カ所に設けられているので、係合部１５が被係合部５に係合する場合に、把持部１３が前面側の表示窓の左右の非表示部に当接して、電子表示部品３を固定する。
【００３１】
保持部１０の把持部１３は、載置部１１の側へ円弧の凸側が突出するように形成されており、円弧の大きさを規定する半径を変えるようにして弾性変形可能に形成されている。つまり、把持部１３は、適度な弾力で変形する円弧部分として形成され、円弧の凸側頂部が電子表示部品３の前面側に当接する際に、弾性変形による弾性力を載置部１１の側へ電子表示部品３に加える。したがって、電子表示部品３は、表示部品固定部材１を介して基板２に対して所定の位置に位置だしされて、取り付けられる。
【００３２】
次に、図２を参照して、形状寸法の異なる略矩形板状の電子表示部品３ａまたは３ｂを、それぞれ同じ共通な表示部品固定部材１を用いて基板２に対して固定する様子を説明する。電子表示部品３ａと３ｂは、幅寸法と厚み寸法が同じであるが、それぞれ高さ寸法Ｈａ並びにＨｂが異なる場合である。具体的には、電子表示部品３ｂの高さ寸法Ｈｂは、電子表示部品３ａの高さ寸法Ｈａよりも大きい（Ｈｂ＞Ｈａ）。ただし、表示部品固定部材１の載置部１１には、下側の位置を規制する立ち上がり部が設けられていないので、電子表示部品３ａまたは３ｂの下側に対応する保持部１０の係合部１５に収まる範囲であれば、高さ寸法Ｈが異なる複数の電子表示部品３に対応して、表示部品固定部材１は共通して基板２に対して所定の位置に取り付けることができる。
【００３３】
図２（ｂ）または図２（ｄ）の側面図に図示するように、電子表示部品３ａと３ｂの略矩形板状の筐体の高さ寸法Ｈａ並びにＨｂが異なる場合にも、表示部品固定部材１は、載置部１１の高さ方向に対応する寸法が、高さ寸法Ｈａ並びにＨｂのいずれの約半分（１／２）以上であることが好ましい。載置部１１の高さ方向の寸法に対応して、把持部１３の円弧の凸側が電子表示部品３ａまたは３ｂに対して載置部１１の側へ弾性力を加える場合にも、載置部１１が略矩形板状の筐体の背面側を支持して、所定の位置に取り付けることができる。つまり、載置部１１の平面部の大きさは、係合部１５が被係合部５に係合する場合に把持部１３の円弧の凸側の頂部が対峙する位置にまで設けられていればよい。保持部１０の把持部１３が電子表示部品に対して与える弾性力を、受け止めることができる。
【００３４】
したがって、複数の電子表示部品３、３ａまたは３ｂを基板２に固定するのに、一つの表示部品固定部材１のみで共通して対応可能になる。ＡＶ機器等の電子機器を設計する場合に、複数の表示部品固定部材を用意する必要がなくなって、調達するコストを低減することができるという利点がある。
【実施例２】
【００３５】
図３および図４は、本発明の他の好ましい実施形態による表示部品固定部材１ｃについて説明する図である。表示部品固定部材１ｃは、上述の実施例の表示部品固定部材１と同様に、大きさ寸法が異なる略矩形板状の電子表示部品３ｃまたは３ｄを、それぞれ基板２ｃに対して固定する部材である。
【００３６】
具体的には、図３（ａ）は基板２ｃに取り付けられた表示部品固定部材１ｃを含む展開斜視図であり、図３（ｂ）は電子表示部品３ｃが取り付けられた状態を示す斜視図である。また、図４（ａ）または図４（ｂ）は、表示部品固定部材１ｃが、厚み寸法が異なる電子表示部品３ｃまたは３ｄを、それぞれ基板２ｃに取り付けた状態を説明する側面図である。
【００３７】
本実施例の表示部品固定部材１ｃは、上述の実施例の表示部品固定部材１と多くの共通する構成を有する。したがって、本発明の説明に不要な他の構成については図示を省略し、上述の実施例と同様の部分には、同じ図番号を付して説明を省略する。
【００３８】
本実施例の表示部品固定部材１ｃは、上述の実施例の表示部品固定部材１に対して、載置部１１の下側の辺に電子表示部品３ｃまたは３ｄの位置を規制する立ち上がり部１７がさらに設けられている点と、保持部１０の係合部１５が係合する被係合部１８がさらに設けられている点と、電子表示部品３ｃまたは３ｄの端面を支える端面支持部１９がさらに設けられている点と、において相違する。被係合部１８は、載置部１１の下側の端面に設けられている孔である。
【００３９】
本実施例の表示部品固定部材１ｃは、幅寸法及び高さ寸法が同じで厚み寸法がそれぞれｔｃまたはｔｄである異なる略矩形板状の電子表示部品３ｃまたは３ｄに対応して、それぞれ基板２ｃに対して固定することができる。図４に図示する場合において、電子表示部品３ｄの厚み寸法ｔｄは、電子表示部品３ｃの厚み寸法ｔｃよりも大きくなっている（ｔｃ＜ｔｄ）。
【００４０】
本実施例の表示部品固定部材１ｃにおいても、保持部１０の把持部１３は、載置部１１の側へ円弧の凸側が突出するように形成されており、円弧の大きさを規定する半径を変えるようにして弾性変形可能に形成されている。したがって、厚み寸法ｔｃまたはｔｄが異なる電子表示部品３ｃまたは３ｄに対応して、円弧の大きさを規定する半径をそれぞれｒｃまたはｒｄに変化させるので、把持部１３が前面側に当接して、電子表示部品３ｃまたは３ｄを固定することができる。電子表示部品３ｃまたは３ｄの上記の厚み寸法（ｔｃ＜ｔｄ）の関係から、把持部１３の円弧の大きさを規定する半径寸法ｒｃおよびｒｄは、（ｒｃ＜ｒｄ）という関係になる。
【００４１】
また、表示部品固定部材１ｃは、載置部１１の下側の辺に電子表示部品３ｃまたは３ｄの下側の位置を規制する立ち上がり部１７が設けられているのに加えて、保持部１０の係合部１５が対応する被係合部１８に係合する場合に、電子表示部品３ｃまたは３ｄを固定する保持部１０が、略矩形板状の電子表示部品３ｃまたは３ｄの対応する下側の端面を支える端面支持部１９をさらに備えている。したがって、表示部品固定部材１ｃは、電子表示部品３ｃまたは３ｄに対する取り付け強度を高めて、安定した固定・位置出しができる。
【００４２】
つまり、複数の電子表示部品３ｃまたは３ｄを固定するのに、一つの表示部品固定部材１ｃのみで共通して対応可能になる。複数の表示部品固定部材を用意する必要がなくなって、調達するコストを低減することができるという設計上の利点がある。
【実施例３】
【００４３】
図５は、本発明の他の好ましい実施形態による表示部品固定部材１ｅおよび１ｆについて説明する図である。表示部品固定部材１ｅおよび１ｆは、上述の実施例の表示部品固定部材１または１ｃと同様に、大きさ寸法が異なる略矩形板状の（図示しない）電子表示部品を、それぞれ基板２ｅに対して固定する部材である。
【００４４】
具体的には、図５（ａ）は基板２ｅに取り付けられた表示部品固定部材１ｅおよび１ｆを含む斜視図であり、図５（ｂ）は他の（図示しない）電子表示部品を取り付ける状態を示す斜視図である。なお、図５においては、固定する対象である略矩形板状の電子表示部品は、図示しない。
【００４５】
本実施例の表示部品固定部材１ｅおよび１ｆは、２つを一組にして使用する表示部品固定部材である。表示部品固定部材１ｅおよび１ｆは、上述の実施例の表示部品固定部材１の載置部１１を構成する基体を、左右方向に２つに分割したような部材である。したがって、表示部品固定部材１ｅおよび１ｆは、幅方向の寸法が異なる複数の電子表示部品に、共通して使用できる。
【００４６】
表示部品固定部材１ｅおよび１ｆは、載置部１１が左右方向に２つに分割されている点を除いて、上述の実施例の表示部品固定部材１と多くの共通する構成を有する。したがって、上述の実施例と同様の部分には、同じ図番号を付して説明を省略する。
【００４７】
図５（ａ）に図示する基板２ｅには、表示部品固定部材１ｅおよび１ｆを用いて、所定の幅寸法Ｗ１を有する略矩形板状の（図示しない）電子表示部品が固定される。つまり、表示部品固定部材１ｅおよび１ｆは、電子表示部品の幅寸法Ｗ１に対応して、幅方向の位置を規制する立ち上がり部１６の間の載置部１１の大きさが、幅寸法Ｗ１にほぼ一致するように離隔されて、基板２ｅに取り付けられる。
【００４８】
また、図５（ｂ）に図示する基板２ｆには、共通する表示部品固定部材１ｅおよび１ｆを用いて、先の幅寸法Ｗ１よりも大きい所定の幅寸法Ｗ２を有する略矩形板状の（図示しない）他の電子表示部品が固定される。つまり、表示部品固定部材１ｅおよび１ｆは、他の電子表示部品の幅寸法Ｗ２に対応して、幅方向の位置を規制する立ち上がり部１６の間の載置部１１の大きさが、幅寸法Ｗ２にほぼ一致するように離隔されて、基板２ｆに取り付けられる。
【００４９】
なお、基板２ｅまたは２ｆには、表示部品固定部材１ｅおよび１ｆの取り付け位置に応じて、保持部１０の係合部１５が対応する位置に、被係合部５ｅまたは５ｆとしての孔が２カ所に設けられている。被係合部５ｅまたは５ｆは、先の実施例の表示部品固定部材１ｃの場合と同様に、載置部１１の下側の端面に設ける孔によって構成する被係合部１８に代えてもよい。
【００５０】
表示部品固定部材１ｅおよび１ｆの載置部１１は、左右方向に配置される２箇所で略矩形板状の電子表示部品の背面側を支えることができる。また、表示部品固定部材１ｅおよび１ｆは、それぞれ、載置部１１に連結して保持部１０の全体を開閉動作可能にするヒンジ部１４と、ヒンジ部１４から延設されて載置部１１の側へ円弧の凸側が突出するように形成される把持部１３と、把持部１３から延設されて基板１２の対応する被係合部５に係合する係合部１５と、を有する保持部１０を備える。
【００５１】
したがって、表示部品固定部材１ｅおよび１ｆは、それぞれの保持部１０が電子表示部品の前面側を左右の両端２カ所で固定するので、基板２ｅまたは２ｆに対して、幅寸法の異なるそれぞれの電子表示部品を共通して固定することができる。表示部品固定部材１ｅと１ｆとの離間距離を基板上で適切に設定すれば、幅広い範囲の幅寸法の電子表示部品に共通して対応できる利点がある。
【００５２】
なお、本実施例の場合には、表示部品固定部材１ｅおよび１ｆは、幅寸法の異なるそれぞれの電子表示部品を共通して固定することができるように、保持部１０が載置部１１の左右の両端２カ所に設けられているが、保持部１０は載置部１１の上下方向の両端２カ所に設けられていてもよい。この場合には、表示部品固定部材１ｅおよび１ｆは、上下方向に離間して基板２ｅまたは２ｆに配置されて、高さ方向の寸法の異なる複数の電子表示部品に対応できるようになる。
【００５３】
もちろん、表示部品固定部材の保持部１０は、電子表示部品３を固定することができれば、載置部１１の周囲のいずれかの位置に一つ設けられるものであってもよい。また、表示部品固定部材は、載置部１１が３つ以上の複数に分割されていてそれぞれが保持部１０を備えていてもよい。例えば、４つに分割されていて、略矩形板状の四隅をそれぞれ固定する、あるいは、略矩形板状の四辺をそれぞれ固定するような配置で組み合わせる構成にしてもよい。
【００５４】
上記実施例では、表示部品固定部材の保持部１０は、把持部１３がヒンジ部１４から延設されて載置部１１の側へ円弧が突出するように形成される場合を説明しているが、把持部１３の形状は、円弧の大きさを規定する半径を変えるように弾性変形可能に形成されていれば、単一の半径寸法により規定されるものに限られない。把持部１３の形状は、複数の円弧を接続した形状であってもよく、または、直線部を含んでいてもよい。把持部１３は、電子表示部品３の形状寸法に応じて、弾性変形により適切な保持力を電子表示部品３の前面側に加えることができる形状および寸法であればよい。
【産業上の利用可能性】
【００５５】
本発明の表示部品固定部材は、図示するような蛍光表示部品の電子表示部品に限らず、液晶表示部品などの他の電子表示部品であってもよい。また、電子表示部品の筐体の形状は、図示及び説明したような略矩形板状に限られず、所定形状の薄いシート状、あるいは、凹部または凸部を有する異形の筐体形状にも適用が可能である。また、本発明の表示部品固定部材を用いる構造は、家庭用のステレオ再生、もしくはマルチチャンネルサラウンド再生に用いるＡＶ機器限られず、車載用のオーディオ機器や、映画館等の音響再生設備、携帯型端末にも適用が可能である。
【符号の説明】
【００５６】
１、１ｃ、１ｅ、１ｆ        表示部品固定部材
２、２ｃ、２ｅ、２ｆ        基板
３、３ａ、３ｂ、３ｃ、３ｄ  電子表示部品
５、５ｅ、５ｆ、１８        被係合部
１０          保持部
１１          載置部
１２          連結部
１３          把持部
１４          ヒンジ部
１５          係合部
１６、１７    立ち上がり部
１９          端面支持部
【図１】
2018160549.tif 000003
【図２】
2018160549.tif 000004
【図３】
2018160549.tif 000005
【図４】
2018160549.tif 000006
【図５】
2018160549.tif 000007